(57)【要約】【課題】主に各種電子機器の遠隔操作に用いられるリモコン送信機に関し、簡易な構成で、確実な操作が可能なものを提供することを目的とする。【解決手段】静電タッチパネル２５を配線基板２３上面に一体に形成すると共に、この静電タッチパネル２５とカバー２２の間に弾性誘電体２７を設けることによって、静電タッチパネル２５を配線基板２３に接続するためのフレキ基板やコネクタ等が不要となり、容易に組立てが行えると共に、弾性誘電体２７によって静電タッチパネル２５の確実な接触操作が可能となり、簡易な構成で、安価なリモコン送信機を得ることができる。【選択図】図１
2011160389.tif 000002
【特許請求の範囲】
【請求項１】
ケース上面の開口部に装着されたカバーと、このカバー下方に配置された静電タッチパネルと、この静電タッチパネル下方に配置された配線基板と、上記静電タッチパネルの操作に応じて、送信手段からリモコン信号を送信する制御手段からなり、上記静電タッチパネルを上記配線基板上面に一体に形成すると共に、この静電タッチパネルと上記カバーの間に弾性誘電体を設けたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやディスクプレーヤ等の各種電子機器の高機能化が進むなか、これらを遠隔操作するリモコン送信機においても、安価で確実な操作を行えるものが求められている。
【０００３】
このような従来のリモコン送信機について、図４〜図６を用いて説明する。
【０００４】
なお、これらの図面は構成を判り易くするために、部分的に寸法を拡大して表している。
【０００５】
図５は従来のリモコン送信機の断面図、図６は同分解斜視図であり、同図において、１は絶縁樹脂製の上ケース、２は同じくカバーで、上ケース１上面の複数の開口部１Ａに、複数のカバー２が上下動可能に装着されている。
【０００６】
また、３は静電タッチパネルで、上面または上下面に複数の電極が所定の間隙を設けて直交方向に配列されると共に、複数の静電タッチパネル３がカバー２下面に各々装着されている。
【０００７】
そして、４はゴム等の操作体で、上面には上方へ略ドーム状に突出する複数の押圧部４Ａが設けられると共に、この押圧部４Ａ上面に静電タッチパネル３下面が当接している。
【０００８】
さらに、５は上下面に複数の配線パターン（図示せず）が形成された配線基板、６はプッシュスイッチ等のスイッチ接点で、複数のスイッチ接点６が配線基板５上面に実装されると共に、配線基板５上面を操作体４が覆い、スイッチ接点６が押圧部４Ａ内に収納されている。
【０００９】
そして、７は複数の配線パターン（図示せず）が形成されたフレキ基板、８はコネクタで、複数のフレキ基板７やコネクタ８を介して、静電タッチパネル３が配線基板５の配線パターンに接続されている。
【００１０】
また、配線基板５の上下面には、アンテナ等のリモコン信号を送信する送信手段９や、マイコン等の制御手段１０が形成されると共に、この制御手段１０に配線パターンを介して、静電タッチパネル３やスイッチ接点６、送信手段９が接続されている。
【００１１】
さらに、１１は絶縁樹脂製の下ケース、１２は同じく蓋体で、蓋体１２に覆われた下ケース１１下面には電池（図示せず）が収納されると共に、この下ケース１１が上ケース１下面を覆って、リモコン送信機１５が構成されている。
【００１２】
以上の構成において、図４の正面図に示すように、遠隔操作するテレビ等の電子機器４０の表示画面４１に複数のメニュー、例えば複数のキー４２が表示された状態で、リモコン送信機１５のカバー２上面左方の所定箇所に、例えば左手の指を触れると、この指に静電タッチパネル３の電荷の一部が導電し、操作した箇所の電極の容量が変化するため、これによって静電タッチパネル３のどの箇所に指が触れたのかを制御手段１０が検出する。
【００１３】
そして、この指の接触位置に応じたリモコン信号を、制御手段１０が送信手段９から機器へ電波として送信し、これを電子機器４０が受信すると、指の接触位置に対応した、例えば、表示画面４１に表示された「Ａ」のキー４２Ａがカーソル表示される。
【００１４】
また、このままの位置でカバー２上面を押圧操作すると、カバー２や静電タッチパネル３が下方へ移動し、押圧部４Ａが撓んでスイッチ接点６の電気的接離が行われ、これを制御手段１０が検出して、上記とは異なるリモコン信号が送信され、例えば表示画面４１下方の入力部４１Ａに「Ａ」が表示されて、文字の選択が確定する。
【００１５】
さらに、右手の指でカバー２上面右方の別の箇所に触れると、同じく制御手段１０が静電タッチパネル３の容量変化によってその接触位置を検出し、リモコン信号が送信手段９から送信されて、表示画面４１の「Ｂ」のキー４２Ｂがカーソル表示され、そのままカバー２上面を押圧操作すると、この下方のスイッチ接点６の電気的接離が行われリモコン信号が送信されて、入力部４１Ａに「Ａ」に並んで「Ｂ」の文字が表示される。
【００１６】
なお、この時、「Ｂ」ではなく「Ｎ」や「Ｈ」の文字を選びたい場合には、カバー２上面に触れたまま指を右方や上方へ移動すると、この接触箇所を制御手段１０が検出してリモコン信号が送信されて、表示画面４１の「Ｎ」や「Ｈ」のキーがカーソル表示され、この後、カバー２上面を押圧操作すると、これらの文字が入力部４１Ａに表示される。
【００１７】
つまり、リモコン送信機１５のカバー２上面に指を触れ、これを移動して接触操作することによって、表示画面４１に表示された文字等のメニューの選択を行うと共に、カバー２上面を押圧し、この下方のスイッチ接点６を押圧操作することによって、文字等のメニューの確定や入力等を、遠隔操作によって行うことができるように構成されているものであった。
【００１８】
なお、この出願の発明に関連する先行技術文献情報としては、例えば、特許文献１が知られている。
【先行技術文献】
【特許文献】
【００１９】
【特許文献１】特開２００９−３３５９６号公報
【発明の概要】
【発明が解決しようとする課題】
【００２０】
しかしながら、上記従来のリモコン送信機においては、カバー２下面に装着された静電タッチパネル３を、フレキ基板７やコネクタ８を用いて配線基板５の配線パターンに接続しているため、組立てに手間がかかり、構成部品数も多く、高価なものになってしまうという課題があった。
【００２１】
本発明は、このような従来の課題を解決するものであり、簡易な構成で、確実な操作が可能なリモコン送信機を提供することを目的とする。
【課題を解決するための手段】
【００２２】
上記目的を達成するために本発明は、静電タッチパネルを配線基板上面に一体に形成すると共に、この静電タッチパネルとカバーの間に弾性誘電体を設けてリモコン送信機を構成したものであり、静電タッチパネルを配線基板に接続するためのフレキ基板やコネクタ等が不要となり、容易に組立てが行えると共に、弾性誘電体によって静電タッチパネルの確実な操作が可能となり、簡易な構成で、安価なリモコン送信機を得ることができるという作用を有するものである。
【発明の効果】
【００２３】
以上のように本発明によれば、簡易な構成で、確実な操作が可能なリモコン送信機を実現できるという有利な効果が得られる。
【図面の簡単な説明】
【００２４】
【図１】本発明の一実施の形態によるリモコン送信機の断面図
【図２】同分解斜視図
【図３】同部分平面図
【図４】電子機器の正面図
【図５】従来のリモコン送信機の断面図
【図６】同分解斜視図
【発明を実施するための形態】
【００２５】
以下、本発明の実施の形態について、図１〜図４を用いて説明する。
【００２６】
なお、これらの図面は構成を判り易くするために、部分的に寸法を拡大して表している。
【００２７】
（実施の形態）
図１は本発明の一実施の形態によるリモコン送信機の断面図、図２は同分解斜視図であり、同図において、２１はポリスチレンやＡＢＳ等の絶縁樹脂製の上ケース、２２は同じくカバーで、上ケース２１上面の複数の開口部２１Ａに複数のカバー２２が、外方端部の支点部２２Ａを支点として、揺動可能に装着されている。
【００２８】
また、２３はガラス入りエポキシ等の配線基板で、上下面には銅箔等によって複数の配線パターン（図示せず）が形成されると共に、上面中間部にはカーボン等の複数の固定接点（図示せず）が設けられ、この上に載置された略ドーム状で銅合金等の可動接点によって、複数のスイッチ接点２４が形成されている。
【００２９】
そして、この配線基板２３上面のスイッチ接点２４の左右には、多層に積層された複数の基材と銅箔によって、図３の部分平面図に示すような、複数の静電タッチパネル２５が配線基板２３に一体に形成されている。
【００３０】
つまり、図３（ａ）において、１層目の上基材２５Ａ上面には、上下方向に略方形状に連結された、略帯状で銅箔等の複数の電極２５Ｂが配列されると共に、略方形状に分割された複数の電極２５Ｃが、電極２５Ｂとは直交方向の左右方向に配列されている。
【００３１】
また、この上基材２５Ａの下には、図３（ｂ）に示すような、２層目の中基材２５Ｄが積層されると共に、この上面には銅箔等の複数の接続パターン２５Ｅが左右方向に配列され、この複数の接続パターン２５Ｅの両端が、貫通孔内に銀等を充填したスルーホール（図示せず）等を介して電極２５Ｃに接続されて、複数の電極２５Ｃが左右方向に略帯状に連結されている。
【００３２】
さらに、この中基材２５Ｄの下には、図３（ｃ）に示すような、３層目の下基材２５Ｆが積層されると共に、この下面には一端が下端の引出部２５Ｇに延出する、銅箔等の複数の引出パターン２５Ｈが形成され、この複数の引出パターン２５Ｈの他端がスルーホール等を介して、複数の電極２５Ｂと電極２５Ｃ端部に接続されて、静電タッチパネル２５が形成されている。
【００３３】
そして、２６はシリコーンゴムやエラストマー等の操作体で、複数の貫通孔２６Ａが形成されると共に、配線基板２３上に載置され、スイッチ接点２４中央上方の操作体２６上面には、カバー２２の内方端部に形成された押圧部２２Ｂが当接している。
【００３４】
また、２７は硬度１５度以下のウレタンやシリコーンゴム等の弾性誘電体で、複数の弾性誘電体２７が操作体２６の貫通孔２６Ａに挿入されて、静電タッチパネル２５とカバー２２の間に配置され、上面がカバー２２下面に、下面が静電タッチパネル２５上面に各々密着している。
【００３５】
さらに、配線基板２３の上下面には、アンテナ等のリモコン信号を送信する送信手段２８や、マイコン等の制御手段２９が形成されると共に、この制御手段２９に配線パターンを介して、静電タッチパネル２５やスイッチ接点２４、送信手段２８が接続されている。
【００３６】
そして、３０はポリスチレンやＡＢＳ等の絶縁樹脂製の下ケース、３１は同じく蓋体で、蓋体３１に覆われた下ケース３０下面には電池（図示せず）が収納されると共に、この下ケース３０が上ケース２１下面を覆って、リモコン送信機３５が構成されている。
【００３７】
つまり、本発明においては、静電タッチパネル２５が配線基板２３上面に一体に形成されているため、静電タッチパネル２５を配線基板２３に接続するためのフレキ基板やコネクタ等が不要となり、組立てが容易に行えると共に、構成も簡易なものとなり、安価にリモコン送信機３５を形成できるようになっている。
【００３８】
以上の構成において、図４の正面図に示すように、遠隔操作するテレビ等の電子機器４０の表示画面４１に複数のメニュー、例えば複数のキー４２が表示された状態で、リモコン送信機３５のカバー２２上面左方の所定箇所に、例えば左手の指を触れると、この指に弾性誘電体２７を介して静電タッチパネル２５の電荷の一部が導電し、操作した箇所の電極の容量が変化するため、これによって静電タッチパネル２５のどの箇所に指が触れたのかを制御手段２９が検出する。
【００３９】
そして、この指の接触位置に応じたリモコン信号を、制御手段２９が送信手段２８から機器へ電波として送信し、これを電子機器４０が受信すると、指の接触位置に対応した、例えば、表示画面４１に表示された「Ａ」のキー４２Ａがカーソル表示される。
【００４０】
また、このままの位置でカバー２２上面を押圧操作すると、外方端部の支点部２２Ａを支点として、カバー２２が弾性誘電体２７を撓めながら下方へ揺動し、カバー２２内方端部の押圧部２２Ｂが、操作体２６を介してスイッチ接点２４の可動接点を押圧して、スイッチ接点２４の電気的接離が行われる。
【００４１】
そして、このスイッチ接点２４の電気的接離を制御手段２９が検出して、上記とは異なるリモコン信号が送信され、例えば表示画面４１下方の入力部４１Ａに「Ａ」が表示されて、文字の選択が確定する。
【００４２】
さらに、右手の指でカバー２２上面右方の別の箇所に触れると、同じく制御手段２９が静電タッチパネル２５の容量変化によってその接触位置を検出し、リモコン信号が送信手段２８から送信されて、表示画面４１の「Ｂ」のキー４２Ｂがカーソル表示され、そのままカバー２２上面を押圧操作すると、この下方のスイッチ接点２４の電気的接離が行われリモコン信号が送信されて、入力部４１Ａに「Ａ」に並んで「Ｂ」の文字が表示される。
【００４３】
なお、この時、「Ｂ」ではなく「Ｎ」や「Ｈ」の文字を選びたい場合には、カバー２２上面に触れたまま指を右方や上方へ移動すると、この接触箇所を制御手段２９が検出してリモコン信号が送信されて、表示画面４１の「Ｎ」や「Ｈ」のキーがカーソル表示され、この後、カバー２２上面を押圧操作すると、これらの文字が入力部４１Ａに表示される。
【００４４】
つまり、リモコン送信機３５のカバー２２上面に指を触れ、これを移動して接触操作することによって、表示画面４１に表示された文字等のメニューの選択を行うと共に、カバー２２上面を押圧し、この下方のスイッチ接点２４を押圧操作することによって、文字等のメニューの確定や入力等を、遠隔操作によって行うことができるように構成されている。
【００４５】
そして、このようにカバー２２上面を接触操作した際、指の接触位置を検出する静電タッチパネル２５とカバー２２の間には弾性誘電体２７が配置され、この弾性誘電体２７を介して、指に静電タッチパネル２５の電荷の一部が導電して接触位置の検出が行われるため、確実な接触位置の検出を行うことが可能なようになっている。
【００４６】
すなわち、カバー２２下面と静電タッチパネル２５上面との間を空隙に形成するのではなく、上面がカバー２２下面に、下面が静電タッチパネル２５上面に密着した弾性誘電体２７を設け、この弾性誘電体２７を介して、指による静電タッチパネル２５の操作箇所の電極の容量の変化を検出することによって、誤差が少なく、確実な接触位置の検出を行うことができる。
【００４７】
また、上述したように、静電タッチパネル２５が配線基板２３上面に一体に形成され、静電タッチパネル２５を配線基板２３に接続するためのフレキ基板やコネクタ等が不要となっているため、組立ても容易で、安価にリモコン送信機３５を形成できる構成となっている。
【００４８】
さらに、カバー２２を押圧操作した際には、カバー２２が弾性誘電体２７を撓めながら、外方端部の支点部２２Ａを支点として揺動して、スイッチ接点２４の電気的接離が行われるため、図１に示すように、カバー２２中央の矢印Ａの箇所を押圧した場合でも、あるいは端部の矢印Ｂの箇所を押圧した場合でも、確実にスイッチ接点２４の電気的接離が行われるようになっている。
【００４９】
つまり、カバー２２が上ケース２１に対して上下動ではなく、外方端部の支点部２２Ａを支点として揺動可能に形成されているため、カバー２２上面のどの箇所を押圧しても、内方端部の押圧部２２Ｂがスイッチ接点２４を常に垂直に押圧して、確実な電気的接離が行えるように構成されている。
【００５０】
このように本実施の形態によれば、静電タッチパネル２５を配線基板２３上面に一体に形成すると共に、この静電タッチパネル２５とカバー２２の間に弾性誘電体２７を設けることによって、静電タッチパネル２５を配線基板２３に接続するためのフレキ基板やコネクタ等が不要となり、容易に組立てが行えると共に、弾性誘電体２７によって静電タッチパネル２５の確実な接触操作が可能となり、簡易な構成で、安価なリモコン送信機を得ることができるものである。
【００５１】
また、カバー２２を端部の支点部２２Ａを支点として揺動可能に形成することによって、カバー２２中央部に加え端部を押圧操作した場合でも、カバー２２が同様に揺動し、この下方のスイッチ接点２４が垂直に押圧操作されるため、スイッチ接点２４の確実な電気的接離を行うことができる。
【００５２】
なお、以上の説明では、配線基板２３上面の固定接点に略ドーム状の可動接点を載置して、スイッチ接点２４を形成した構成について説明したが、固定接点上方に下面に可動接点が形成されたゴム等の押釦を対向させた構成や、あるいは、配線基板２３上面に単品のプッシュスイッチを実装した構成等、様々なスイッチ接点を用いた構成としても、本発明の実施は可能である。
【産業上の利用可能性】
【００５３】
本発明によるリモコン送信機は、簡易な構成で、確実な操作が可能なものが得られ、主に各種電子機器の遠隔操作用として有用である。
【符号の説明】
【００５４】
２１  上ケース
２１Ａ  開口部
２２  カバー
２２Ａ  支点部
２２Ｂ  押圧部
２３  配線基板
２４  スイッチ接点
２５  静電タッチパネル
２５Ａ  上基材
２５Ｂ、２５Ｃ  電極
２５Ｄ  中基材
２５Ｅ  接続パターン
２５Ｆ  下基材
２５Ｇ  引出部
２５Ｈ  引出パターン
２６  操作体
２６Ａ  貫通孔
２７  弾性誘電体
２８  送信手段
２９  制御手段
３０  下ケース
３１  蓋体
３５  リモコン送信機
４０  電子機器
４１  表示画面
４１Ａ  入力部
４２、４２Ａ、４２Ｂ  キー
【図１】
2011160389.tif 000003
【図２】
2011160389.tif 000004
【図３】
2011160389.tif 000005
【図４】
2011160389.tif 000006
【図５】
2011160389.tif 000007
【図６】
2011160389.tif 000008